【手続補正書】
【提出日】平成17年7月12日(2005.7.12)
【手続補正１】
【補正対象書類名】明細書
【補正対象項目名】発明の名称
【補正方法】変更
【補正の内容】
【発明の名称】システム構築装置、及びシステム構築のためのツール管理装置
【手続補正２】
【補正対象書類名】明細書
【補正対象項目名】特許請求の範囲
【補正方法】変更
【補正の内容】
【特許請求の範囲】
【請求項１】
システムの構成要素となる複数のツールが予め定義され、該複数のツールの一部または全部を使用してシステムを構築するシステム構築装置であって、
前記複数のツールを、特定のシステムの形態を実現するのに必要とされるツールからなる第１のツール群と、複数のシステムの形態で普遍的に用いられるツールからなる第２のツール群とに分類する分類手段と、
前記第２のツール群に含まれる１または複数のツールを抜き出してツールセットを形成する形成手段とを備えるシステム構築装置。
【請求項２】
システムの構成要素となる複数のツールが予め定義され、該複数のツールの一部または全部を使用してシステムを構築するシステム構築装置であって、
前記複数のツールが、特定のシステムの形態を実現するのに必要とされるツールからなる第１のツール群と、複数のシステムの形態で普遍的に用いられるツールからなる第２のツール群とからなり、
更に、前記第２のツール群に含まれる１または複数のツールを抜き出して形成されるツールセットからなるツールセット群が形成され、
前記第１のツール群から少なくとも１つのツールを選ぶ第１の選択手段と、
前記ツールセット群から少なくとも１つのツールセットを選ぶ第２の選択手段と、
前記第１の選択手段で選んだ前記少なくとも１つのツールと、前記第２の選択手段で選んだ前記少なくとも１つのツールセットとを組み合わせることによってシステムを構築するシステム構築手段とを備えるシステム構築装置。
【請求項３】
システムの構成要素となる複数のツールが予め定義され、該複数のツールの一部または全部を使用してシステムを構築するシステム構築装置であって、
前記複数のツールを、特定のシステムの形態を実現するのに必要とされるツールからなる第１のツール群と、複数のシステムの形態で普遍的に用いられるツールからなる第２のツール群とに分類する分類手段と、
前記第２のツール群に含まれる１または複数のツールを抜き出してツールセットを形成する形成手段と、
前記形成手段により得られたツールセットの少なくとも１つに、前記第１のツール群に含まれるツールの少なくとも１つを組み合わせることによってシステムを構築するシステム構築手段とを備えるシステム構築装置。
【請求項４】
前記構築されるシステムは、所望のコンテンツを検索するコンテンツ検索システムであり、前記ツールは、コンテンツの特徴を記述した付加情報の記述形式、該付加情報を生成するための生成ツール、該付加情報を使って検索を実行するための利用ツールの少なくとも１つを含むコンテンツ記述ツールであることを特徴とする請求項１、２又は３に記載のシステム構築装置。
【請求項５】
システムの構成要素となる複数のツールが予め定義され、該複数のツールの一部または全部を使用してシステムを構築するためのツール管理装置であって、
前記複数のツールが、特定のシステムの形態を実現するのに必要とされるツールからなる第１のツール群と、複数のシステムの形態で普遍的に用いられるツールからなる第２のツール群とからなり、
更に、前記第２のツール群に含まれる１または複数のツールを抜き出して形成されるツールセットからなるツールセット群を形成し、
前記第１のツール群及び前記ツールセット群を示す情報を用いて前記複数のツールを管理する管理手段を備えるツール管理装置。
【請求項６】
前記ツールは、コンテンツの特徴を記述した付加情報の記述形式、該付加情報を生成するための生成ツール、該付加情報を使って検索を実行するための利用ツールの少なくとも１つを含むコンテンツ記述ツールであることを特徴とする請求項５に記載のツール管理装置。
【手続補正３】
【補正対象書類名】明細書
【補正対象項目名】０００１
【補正方法】変更
【補正の内容】
【０００１】
【発明の属する技術分野】
本発明は、映像、音声を含むコンテンツデータを効率的に扱うための、付加情報の記述形式、付加情報の抽出技術並びに検索技術を含むコンテンツ記述ツールの組合せにより構成されるシステムのシステム構築装置、及びシステム構築のためのツール管理装置に関する。
【手続補正４】
【補正対象書類名】明細書
【補正対象項目名】００１２
【補正方法】変更
【補正の内容】
【００１２】
本発明は、上記に鑑みてなされたもので、構成要素である複数のコンテンツ記述ツールから必要な一部または全部のツールを選び出してコンテンツ検索システムを構築する際に、システム構築を容易にするシステム構築装置、及びシステム構築のためのツール管理装置を提供することを目的とする。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】変更
【補正の内容】
【００２３】
本願の第５の発明は、システムの構成要素となる複数のツールが予め定義され、該複数のツールの一部または全部を使用してシステムを構築するためのツール管理装置であって、前記複数のツールが、特定のシステムの形態を実現するのに必要とされるツールからなる第１のツール群と、複数のシステムの形態で普遍的に用いられるツールからなる第２のツール群とからなり、更に、前記第２のツール群に含まれる１または複数のツールを抜き出して形成されるツールセットからなるツールセット群を形成し、前記第１のツール群及び前記ツールセット群を示す情報を用いて前記複数のツールを管理する管理手段を備えたことを特徴とする。
【手続補正１２】
【補正対象書類名】明細書
【補正対象項目名】００２４
【補正方法】変更
【補正の内容】
【００２４】
本願の第６の発明は、更に、前記本願の第５の発明のツール管理装置において、前記ツールが、コンテンツの特徴を記述した付加情報の記述形式、該付加情報を生成するための生成ツール、該付加情報を使って検索を実行するための利用ツールの少なくとも１つを含むコンテンツ記述ツールであることを特徴とする。
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００７４
【補正方法】変更
【補正の内容】
【００７４】
第１及び第２の実施形態に係るシステム構築装置またはシステム構築方法で構築される「システム」とは、それを構成する「コンテンツ記述ツール」が何を表しているかによって異なるものを表す。先に述べたように、「コンテンツ記述ツール」とは、コンテンツデータに対応する形で用意され、検索等に用いられる、コンテンツデータの付加情報そのもの（付加情報のデータ形式、構文等）及び、その付加情報を扱うための技術ツールの総称であり、付加情報を扱うための技術ツールとしては、コンテンツデータの特徴を抽出して付加情報を生成する抽出ツールや、付加情報を利用して検索を実行する利用ツールが挙げられている。
【手続補正１６】
【補正対象書類名】明細書
【補正対象項目名】００７５
【補正方法】変更
【補正の内容】
【００７５】
例えば、利用（検索）ツールを組み合わせて利用する需要者側の立場から見た場合、本発明で言う「システム」とは、特定の機能構成からなる「ＡＶ機器」や利用者が独自にカスタマイズした「コンテンツ検索ソフトウェア」のようなものを指す。また、付加情報そのもの及びその抽出ツールを使ってコンテンツデータベースを構築する供給者側の立場から見れば、例えば、特定の付加情報セットを採用した「コンテンツ配信システム」全体がここで言う「システム」となる。本発明のシステム構築装置は、このようにレベルの異なるシステムの構築に適用可能な普遍的な構造を持つものである。
【手続補正１７】
【補正対象書類名】明細書
【補正対象項目名】００７６
【補正方法】変更
【補正の内容】
【００７６】
【発明の効果】
本発明では、システムの構成要素となる多数のツールを、特定のシステムの形態を実現するための主機能ツールと、複数のシステムの形態で普遍的に用いられる基底ツールとに分類し、基底ツールから共通化できるツールをグループ化した基底ツールセットを形成して、１または複数の主機能ツール及び１または複数の基底ツールセットの組合せによってシステムを構築するため、システムの構築が容易となり、また、システム内のツール構成の表記が簡単になる。